(57)【特許請求の範囲】
【請求項１】
ロール形ウエットティッシュを、その軸芯を横にして入れるための上面開口状の収納部と、この収納部の開口を覆うカバーとを備え、上記の収納部が気密容器状に形成され、この収納部の底に、ロール形ウエットティッシュを水平に支持する支持ローラが、ロール形ウエットティッシュの軸芯に沿って複数設けられ、また収納部の内周壁で器具本体の前側にあたる上端位置に、ロール形ウエットティッシュを収納部の外側に反らして案内する案内ローラが、上記の支持ローラと平行状に設けられ、また上記のカバーの下面に、上記の収納部の開口を塞いで収納部を密閉すると共に、収納部の前側上端と協働してロール形ウエットティッシュの引き出し口をスリット状に形作る蓋部が設けられ、この蓋部と上記の収納部との当接箇所である、収納部の開口の周囲に、パッキンが設けられ、気密容器状の収納部が、上記の蓋部で密閉可能に形成されていることを特徴とするロール形ウエットティッシュの供給器。
【請求項２】
請求項１記載のロール形ウエットティッシュの供給器であって、電動で回転してロール形ウエットティッシュの引き出し端を送り出す送り出しローラ群が、収納部の前側に案内ローラと平行状に設けられ、この送り出しローラ群と協働して上記の引き出し端を挟み付けて送る押さえローラ群が、カバーの前側下端の内側に設けられていることを特徴とするロール形ウエットティッシュの供給器。
【請求項３】
請求項２記載のロール形ウエットティッシュの供給器であって、送り出しローラ群の下方に、ロール形ウエットティッシュの引き出し端を受ける紙受けが設けられ、この紙受けが、上記の引き出し端を器具本体の前後方向に振り分ける起立状部材を、器具本体の左右方向に沿って横長状に備え、この起立状部材の前後の少なくとも一面が、上向き傾斜の傾斜面に形成されていることを特徴とするロール形ウエットティッシュの供給器。
【請求項４】
請求項３記載のロール形ウエットティッシュの供給器であって、起立状部材の傾斜面に、この傾斜面に導かれて滑り落ちるロール形ウエットティッシュの引き出し端を受け止める箇所が、傾斜面から突き出されて形成されていることを特徴とするロール形ウエットティッシュの供給器。
【請求項５】
請求項４記載のロール形ウエットティッシュの供給器であって、ロール形ウエットティッシュの引き出し端を受け止める箇所が、起立状部材の左右方向に延ばされて形成されていることを特徴とするロール形ウエットティッシュの供給器。
【発明の詳細な説明】
【技術分野】
【０００１】
本発明は、ロール形ウエットティッシュ（ロール形に巻かれている湿潤した帯状のティッシュ）の引き出しに使用するロール形ウエットティッシュの供給器に関するものである。
【背景技術】
【０００２】
従来、この種のウエットティッシュの供給器としては、例えば特許文献１〜３に示されるものが知られている。
即ち、特許文献１の従来品は、ロール形ウエットティッシュの乾燥を防止できるように形成した上ケースと下ケースとでなり、また特許文献２の従来品は、ロール形ウエットティッシュを入れる容器と、この容器を壁等に取り付けるためのホルダーとを備えて形成されていた。
また特許文献３の従来品は、ロール形ウエットティッシュを予めパトローネ状のカセットに入れ、このカセットを装填する装填部を備えて形成されていた。
【０００３】
ところで、この種のティッシュは、湿っているため、そのまま容器に収納したのでは容器の内周面との摩擦で引き出し難くなる。またこの種のティッシュは、水気を含む分だけ、通常のトイレットペーパーより重いため、自重によっても円滑に回転せず、引き出し難いものである。
従って、この種のティッシュを収納する容器は、ティッシュを軽く、小さな力で円滑に引き出すことができるよう形成されているのが望ましい。
しかるに、特許文献１の従来品は、ティッシュを単にケースに納める構造であったから、これによると、ケースの内周面との接触摩擦により、ティッシュを軽く楽に、且つ円滑に引き出すことができなかった。
【０００４】
また特許文献２の従来品は、先ずロール形ウエットティッシュを容器に入れ、次にこの容器をホルダーに取り付ける必要がある。
従ってこれによると、ティッシュを容器に入れる手間暇や、この容器をホルダーに取り付ける手間暇がかかり、またティッシュを使い切ったときは、容器をホルダーから取り出し、その後、新品を入れて、再度、ホルダーに取り付け直す手間暇がかかり、使用上、煩雑で使い勝手が悪いものであった。
またこの従来品の場合は、ロール形ウエットティッシュを容器内の軸部に嵌め挿して装着する構造であった。従ってこれによると、円筒状の軸心を有するロール形ウエットティッシュしか使用することができない、という不便があった。
【０００５】
また特許文献３の従来品は、装填部にカセットをセットするとき、カセットの口を折り取って予め開口しなければならない、という煩わしさがあった。
またこの従来品は、カセットを使い捨てる方式のため、これによると、カセットの廃棄に手間暇がかかり、またランニングコストが高くつき、不経済で使い勝手が悪い、という問題点があった。
【先行技術文献】
【特許文献】
【０００６】
【特許文献１】特開２００４−５７５５５号公報
【特許文献２】特開２００４−２６７３９０号公報
【特許文献３】特表２００４−５０５７４３号公報
【発明の概要】
【発明が解決しようとする課題】
【０００７】
本発明は、このような従来品の問題点に鑑み、提案されたものである。
従って本発明の解決しようとする技術的課題は、軸部の有無に関係なく、軽く、小さな力で、円滑に引き出すことができ、またティッシュの交換等を簡単、迅速にでき、ランニングコストを抑えることができるよう形成したロール形ウエットティッシュの供給器を提供することにある。
【課題を解決するための手段】
【０００８】
本発明は、上記の課題を解決するため、次のような技術的手段を採る。
即ち本発明は、図１等に示されるように、ロール形ウエットティッシュ１を、その軸芯１ａを横にして入れるための上面開口状の収納部２と、この収納部２の開口２ａを覆うカバー３とを備え、上記の収納部２が気密容器状に形成され、この収納部２の底に、ロール形ウエットティッシュ１を水平に支持する支持ローラ４が、ロール形ウエットティッシュ１の軸芯１ａに沿って複数設けられ、また収納部２の内周壁で器具本体５の前側にあたる上端位置に、ロール形ウエットティッシュ１を収納部２の外側に反らして案内する案内ローラ６が、上記の支持ローラ４と平行状に設けられ、また上記のカバー３の下面に、上記の収納部２の開口２ａを塞いで収納部２を密閉すると共に、収納部２の前側上端と協働してロール形ウエットティッシュ１の引き出し口７をスリット状に形作る蓋部８が設けられ、この蓋部８と上記の収納部２との当接箇所である、収納部２の開口２ａの周囲に、パッキン９が設けられ、気密容器状の収納部２が、上記の蓋部８で密閉可能に形成されていることを特徴とする（請求項１）。
【０００９】
本発明の場合、収納部２やカバー３等は、通常、樹脂材で形成されるが、形成材料は任意である。また収納部２の形状は、ロール形ウエットティッシュ１の形状に合わせて円筒形に形成されるのが好ましいが、形状についても自由である。
【００１０】
また本発明は、電動で回転してロール形ウエットティッシュ１の引き出し端１ｂを送り出す送り出しローラ群１０が、収納部２の前側に案内ローラ６と平行状に設けられ、この送り出しローラ群１０と協働して上記の引き出し端１ｂを挟み付けて送る押さえローラ群１６が、カバー３の前側下端の内側に設けられているのが好ましい（請求項２）。
なぜならこれによると、ロール形ウエットティッシュ１の引き出し操作を、電動で簡単、且つ楽にできるだけではなく、ウエットティッシュ１を送り出しローラ群１０で送るとき、押さえローラ群１６がウエットティッシュ１を押さえながら回転するため、紙詰まりを起こすことなく、確実、且つ円滑に紙送りできるからである。
【００１１】
またこの場合、本発明は、送り出しローラ群１０の下方に、ロール形ウエットティッシュ１の引き出し端１ｂを受ける紙受け１７が設けられ、この紙受け１７が、上記の引き出し端１ｂを器具本体５の前後方向に振り分ける起立状部材１８を、器具本体５の左右方向に沿って横長状に備え、この起立状部材１８の前後の少なくとも一面が、上向き傾斜の傾斜面１８ａに形成されているのが好ましい（請求項３）。
なぜならこれによると、起立状部材１８によってロール形ウエットティッシュ１の引き出し端１ｂを前後に導いて折り重ねることができ、使う際に折り畳む手間暇を省略でき、使い勝手が良くなるからである。起立状部材１８は、具体的には断面直角三角形や二等辺三角形に形成したり、器具本体５の前後方向の何れか一方に平板を傾けることにより形成される。
【００１２】
またこの場合、本発明は、図１等に示されるように、起立状部材１８の傾斜面１８ａに、この傾斜面１８ａに導かれて滑り落ちるロール形ウエットティッシュ１の引き出し端１ｂを受け止める箇所２０が、傾斜面１８ａから突き出されて形成されているのが好ましい（請求項４）。
なぜならこれによると、引き出し端１ｂを、紙受け１７の底面に当たる前の段階で、上記の箇所２０によって受け止め、起立状部材１８の上端を介して反対側に早い段階で確実に導くことができ、折り返し動作の確実化、円滑化を図ることができるからである。
【００１３】
またこの場合、本発明は、ロール形ウエットティッシュ１の引き出し端１ｂを受け止める箇所２０が、起立状部材１８の左右方向に延ばされて形成されているのが好ましい（請求項５）。
なぜならこれによると、受け止める箇所２０が部分的に突き出されている場合に比べ、引き出し端１ｂを安定的に受け止めることができ、引き出し端１ｂの折り返し動作をより確実化できるからである。なお、受け止める箇所２０は、具体的には例えば横樋状に形成されたり、突き出し幅が短い状態で上向き傾斜板状に形成されることで実現される。
【発明の効果】
【００１４】
本発明は、このように形成されているから、これによれば、ロール形ウエットティッシュを乾燥させることなく、カバーを開け閉めする、という簡単な操作で、また軸部の有無に関係なく、ティッシュを引き出して使用することができる。
また、これによれば、ティッシュを入れる容器を一掃でき、ティッシュの交換等も簡単、迅速にできる。また、従来のパトローネ状の使い捨てカセットを使用する場合に比べ、カセットの廃棄の手間隙を一掃でき、ランニングコストを低廉化できる。
【００１５】
また本発明は、収納部の底に、ロール形ウエットティッシュを水平に支持する支持ローラが、ロール形ウエットティッシュの軸芯に沿って複数設けられている。
従って本発明によれば、支持ローラでロール形ウエットティッシュとの摩擦抵抗を低減でき、軽く小さな力で円滑にティッシュを引き出すことができる。
【００１６】
また本発明は、ロール形ウエットティッシュの引き出し端を、収納部の前側から引き上げ、案内ローラを介して外側に反らして引き出す構造である。
従って本発明の場合は、ティッシュの引き出し端をロール形ウエットティッシュの上から被さるように引き出す、通常の引き出し方式に比べ、ティッシュを引き出すときの力で、ロール形ウエットティッシュを上から押さえ付けることがない。
従ってこれによれば、湿って重たい状態のこの種のティッシュを、この点でも、軽く、小さな力で、円滑に引き出すことができる。
【図面の簡単な説明】
【００１７】
【図１】本発明供給器の好適な一実施形態を示し、図３のＩ−Ｉ線から見た要部側面図である。
【図２】同上供給器の斜視図である。
【図３】同上供給器の正面図である。
【図４】図３のＩＶ−ＩＶ線における要部拡大断面図である。
【図５】カバーを閉じた状態の同上供給器の要部断面図である。
【図６】図５のＶＩ−ＶＩ線における要部断面図である。
【図７】収納部の平面図である。
【図８】紙受けの要部斜視図である。
【図９】本発明の作用を説明するための要部側面図である。
【図１０】紙受けの要部断面図である。
【発明を実施するための形態】
【００１８】
以下、本発明を実施するための好適な一実施形態を、添付図面に従って説明する。
本発明は、図１等に示されるように、ロール形ウエットティッシュ１を、その軸芯１ａを横にして入れるための上面開口状の収納部２と、この収納部２の開口２ａを覆うカバー３とを備えて形成されている。収納部２とカバー３は、この実施形態では合成樹脂材で成形されている。
【００１９】
また上記の収納部２は、この実施形態では両端２ｂが塞がれて略横樋形の気密容器状に形成されている。そして、この収納部２は、ロール形ウエットティッシュ１の側面との接触摩擦を軽減できるよう、両端２ｂの内面に、突条２ｃが縦に３本、平行状に形成されている。
【００２０】
また本発明は、収納部２の底に、ロール形ウエットティッシュ１を水平に支持する支持ローラ４が、ロール形ウエットティッシュ１の軸芯１ａに沿って複数設けられている。この支持ローラ４は、この実施形態では平行一対状に設けられている。
【００２１】
また本発明は、収納部２の内周壁で器具本体５の前側にあたる上端位置に、ロール形ウエットティッシュ１を収納部２の外側に反らして案内する案内ローラ６が、上記の支持ローラ４と平行状に設けられている。本発明の場合、ロール形ウエットティッシュ１は、器具本体５の手前側から引き上げられ、案内ローラ６を介して収納部２の前側（器具本体５の前側）に引き出されるよう形成されている。
【００２２】
また本発明は、上記のカバー３の下面に、上記の収納部２の開口２ａを塞いで収納部２を密閉すると共に、収納部２の前側上端と協働してロール形ウエットティッシュ１の引き出し口７をスリット状に形作る蓋部８が設けられている。収納部２と蓋部８との当接箇所である、収納部２の開口２ａの周囲には、パッキン９（図４、図６参照）が設けられている。本発明は、気密容器状の収納部２が、蓋部８で密閉されることにより、ロール形ウエットティッシュ１の乾燥を防止するものである。
【００２３】
またこの実施形態の本発明は、電動で回転してロール形ウエットティッシュ１を送り出す送り出しローラ群１０が、収納部２の前側に案内ローラ６と平行状に設けられている。送り出しローラ群１０は、最上段の送り出しローラ１０ａと、この最上段の送り出しローラ１０ａの下側に配置されている中段の送り出しローラ１０ｂと、この中段の送り出しローラ１０ｂの下側に配置されている最下段の送り出しローラ１０ｃとで構成されている。
【００２４】
そして本発明は、最上段の送り出しローラ１０ａと中段の送り出しローラ１０ｂ、中段の送り出しローラ１０ｂと最下段の送り出しローラ１０ｃに、ベルト１１が掛けられている。このベルト１１は、モータ１２（図３参照）の回転力を各送り出しローラ１０ａ、１０ｂ、１０ｃに伝えるものであり、各送り出しローラ１０ａ、１０ｂ、１０ｃと共に回転しながら、ロール形ウエットティッシュ１を送り出すよう機能する。なお、ベルト１１は、図４に示されるように、ロール形ウエットティッシュ１の引き出し端１ｂと接触するよう、各送り出しローラ１０ａ、１０ｂ、１０ｃの周面より凸段差状に突き出されている。
【００２５】
１３（図２、図３参照）は、モータ１２の駆動用スイッチである。この実施形態の本発明は、レバー１４を押すことで駆動用スイッチ１３がオンになるよう形成されている。なお、この実施形態の場合、モータ１２は、予め設定しておく長さだけロール形ウエットティッシュ１を送り出すと、コントローラ１５（図３参照）からの停止信号により駆動が停止するよう構成されている。
【００２６】
また本発明は、図１等に示されるように、送り出しローラ群１０と協働してロール形ウエットティッシュ１を挟み付けて送る押さえローラ群１６が、カバー３の前側下端の内側に設けられている。この押さえローラ群１６は、この実施形態では最上段の送り出しローラ１０ａに対応する最上段の押さえローラ１６ａ、中段の送り出しローラ１０ｂに対応する中段の押さえローラ１６ｂ、最下段の送り出しローラ１０ｃに対応する最下段の押さえローラ１６ｃと、平行状に３本設けられている。
【００２７】
押さえローラ群１６は、カバー３が閉じられると、ロール形ウエットティッシュ１の引き出し端１ｂを送り出しローラ群１０に軽く押え付けるよう、位置決めされている。従って、送り出しローラ群１０がモータ１２の作用で回転すると、ロール形ウエットティッシュ１の引き出し端１ｂは、押さえローラ群１６と、送り出しローラ群１０（この実施形態では直接的にはベルト１１）とで挟まれた状態で、弛みや撓みを生じることなく、円滑に送り出される。
【００２８】
またこの実施形態の本発明は、送り出しローラ群１０の下方に、ロール形ウエットティッシュ１の引き出し端１ｂを受ける紙受け１７が設けられている。この紙受け１７は、上記の引き出し端１ｂを器具本体５の前後方向に振り分ける起立状部材１８を、器具本体５の左右方向に沿って横長状に備えて形成されている。この起立状部材１８は、この実施形態では前面が垂直面状に、後面が上向き傾斜の傾斜面１８ａに形成されている。
【００２９】
また紙受け１７は、図２等に示されるように、底面が側方から見て弧状に形成されると共に、前端から起立状部材１８の位置までが切り欠かれ、切り欠き部１７ａを備えて形成されている。そして紙受け１７の両側は、側壁１７ｂが立ち上げられている。なお、紙受け１７は、収納部２を備えた器具本体５に、この実施形態では着脱自在に設けられている。また、この実施形態では持ち運びが便利になるよう、器具本体５に取っ手１９が設けられている。
【００３０】
またこの本発明では、起立状部材１８の傾斜面１８ａに、この傾斜面１８ａに導かれて滑り落ちるロール形ウエットティッシュ１の引き出し端１ｂを受け止める箇所２０が、傾斜面１８ａから突き出されて形成されている。この箇所２０は、この実施形態では起立状部材１８の左右方向の全長にわたって断面円弧形の略横樋状に形成されている。
【００３１】
次に本発明の作用を説明する。
先ず使用者は、図１、図４等に示されるように、カバー３を開き、次にロール形ウエットティッシュ１を収納部２に入れる。そして、ロール形ウエットティッシュ１の引き出し端１ｂを、収納部２の前側から引き上げ、案内ローラ６で外側に返して最上段の送り出しローラ１０ａの外側を回して、中段の送り出しローラ１０ｂ、最下段の送り出しローラ１０ｃの前側に垂らす。
【００３２】
次に使用者は、カバー３を閉じる。これにより、カバー３の下面の蓋部８が、収納部２の開口２ａの周縁に密着し、この蓋部８で収納部２が密閉される。また押さえローラ群１６が、送り出しローラ群１０に押し付けられ、ロール形ウエットティッシュ１の引き出し端１ｂが、蓋部８の前側の上端と収納部２の前側の上端との間の引き出し口７から引き出された状態で、送り出しローラ群１０と押さえローラ群１６とで挟まれる。
【００３３】
次に使用者が、この状態でレバー１４（図２等参照）を押し、モータ１２の駆動用スイッチ１３を入れる。すると、モータ１２が回転し、ベルト１１の伝動作用で最上段の送り出しローラ１０ａ、中段の送り出しローラ１０ｂ、最下段の送り出しローラ１０ｃが回転する。従ってこれらの送り出しローラ群１０と共に、押さえローラ群１６が回転し、ロール形ウエットティッシュ１の引き出し端１ｂが、下方に送り出される。
【００３４】
そして、送り出されたロール形ウエットティッシュ１の引き出し端１ｂは、図９に示されるように、起立状部材１８の後側の傾斜面１８ａに案内されながら下降し、引き出し端１ｂを受け止める箇所２０に係止し、それ以上の下降が止められる。そのため、順次下降する引き出し端１ｂは、図１０に示されるように、起立状部材１８の上端を介して前側に導かれ、前側に下降する。
【００３５】
そして引き出し端１ｂが、起立状部材１８の前側の紙受け１７の底に当たると、それ以上は下降できないため、今度は起立状部材１８の上端を介して後側に導かれる。そしてこの後側に導かれた引き出し端１ｂが、起立状部材１８の後側の紙受け１７の底に当たると、やはりそれ以上下降できないため、再び起立状部材１８の上端を介して前側に導かれる。引き出し端１ｂは、このような動作を繰り返し、器具本体５の前後方向に振り分けられ、起立状部材１８に鞍形に折り重ねられて畳まれる。
【００３６】
而して、この実施形態の本発明品は、上記の通り、予め設定しておく長さだけロール形ウエットティッシュ１が送り出されると、モータ１２が停止する。そこで使用者は、カバー３の前端の鋸歯２１（図１、図２、図９参照）を利用してロール形ウエットティッシュ１の引き出し端１ｂを切断する。
【００３７】
そして、使用者は、紙受け１７の底に形成されている切り欠き部１７ａの下方から手を入れ、起立状部材１８に鞍形に掛けられている引き出し端１ｂを手で掴み、紙受け１７から取り出して使用する。
【００３８】
以上の処において、上例では器具本体５を持ち運び可能な据え置き型に形成されているが、本発明はこれに限られず、壁等に取り付け式に形成されているのでも良い。
また本発明は、例えば収納部２内の支持ローラ４、４の間に、ヒータを設け、加温した暖かい状態のウエットティッシュ１を引き出しできるよう形成されているのでも良い。
【符号の説明】
【００３９】
１      ロール形ウエットティッシュ
１ａ    軸芯
２      収納部
２ａ    開口
３      カバー
４      支持ローラ
５      器具本体
６      案内ローラ
７      引き出し口
８      蓋部
９ パッキン
【図１】
0005504116.tif 000002
【図２】
0005504116.tif 000003
【図３】
0005504116.tif 000004
【図４】
0005504116.tif 000005
【図５】
0005504116.tif 000006
【図６】
0005504116.tif 000007
【図７】
0005504116.tif 000008
【図８】
0005504116.tif 000009
【図９】
0005504116.tif 000010
【図１０】
0005504116.tif 000011